(57)【要約】【課題】携帯電話が受信したメッセージを容易に確認することができるヘッドマウントディスプレイを提供する。【解決手段】ユーザーの頭部に装着され、ユーザーに画像を視認させる画像表示部５２と、ユーザーが所持する携帯電話８０と通信する通信手段と、通信相手の電話９０に待受モードであることを通知させる待受モード通知情報を生成し、当該待受モード通知情報を、前記通信手段を介して携帯電話８０に送信する待受モード設定手段を有し、前記通信手段は携帯電話８０が受信したメッセージを取得し、当該メッセージが画像表示部５２で表示される。ユーザーは、入力部５３を操作したり、頭を動かしたりすることにより、前記メッセージに対する応答を行うことができる。【選択図】図１
2011211383.tif 000002
【特許請求の範囲】
【請求項１】
ユーザーの頭部に装着され、ユーザーに画像を視認させる画像表示部と、
ユーザーが所持する携帯電話と通信する通信手段と、
通信相手の電話情報が記憶される電話情報記憶手段と、
通信相手の電話情報を、前記通信手段を介して取得し、前記電話情報を前記電話情報記憶手段に記憶させる電話情報取得手段と、
前記電話情報取得手段が、前記電話情報を取得した場合に、
前記ユーザーが所持する携帯電話の通信相手の電話に、前記ユーザーが所持する携帯電話が受信したメッセージを前記画像表示部で表示可能な状態である待受モードであることを通知させる待受モード通知情報を生成し、当該待受モード通知情報を、前記通信手段を介して、前記ユーザーが所持する携帯電話に送信する待受モード設定手段と、
前記ユーザーが所持する携帯電話が受信したメッセージを、前記通信手段を介して取得するメッセージ取得手段と、
前記メッセージ取得手段が取得したメッセージを、前記画像表示部で表示させるメッセージ表示手段とを、
有することを特徴とするヘッドマウントディスプレイ。
【請求項２】
待受モードが設定されているか否かを判断する待受モード判断手段を有し、
待受モード判断手段が、待受モードであると判断した場合に限り、
待受モード設定手段は待受モード通知情報をユーザーが所持する携帯電話に送信し、
メッセージ表示手段は、メッセージ取得手段が取得したメッセージを、前記画像表示部で表示させることを特徴とする請求項１に記載のヘッドマウントディスプレイ。
【請求項３】
待受けモードであるか否かを示す待受モードフラグが記憶される待受モードフラグ記憶手段を有し、
待受モード判断手段は、待受モードフラグ記憶領域に待受モードフラグが記憶されている場合に、ユーザーが所持する携帯電話が待受モードであると判断することを特徴とする請求項２に記載のヘッドマウントディスプレイ。
【請求項４】
メッセージ表示手段は、電話情報記憶手段に記憶されている電話情報と同一の電話から送信されたメッセージを前記画像表示部で表示させることを特徴とする請求項１〜請求項３のいずれかに記載のヘッドマウントディスプレイ。
【請求項５】
ユーザーからの入力操作を検知する入力部と、
前記入力部が検知したユーザーの入力操作に基づき、メッセージ取得手段が取得したメッセージに対する応答情報を生成し、当該応答情報を、通信手段を介してユーザーが所持する携帯電話に送信する応答情報生成手段を更に有することを特徴とする請求項１〜請求項４のいずれかに記載のヘッドマウントディスプレイ。
【請求項６】
入力情報と応答情報との関係を表した応答情報テーブルが記憶される応答情報テーブル記憶手段を有し、
応答情報生成手段は、入力部が検知したユーザーの入力操作及び前記応答情報テーブルに基づき、応答情報を生成することを特徴とする請求項５に記載のヘッドマウントディスプレイ。
【発明の詳細な説明】
【技術分野】
【０００１】
本発明は、携帯電話が受信したメッセージを容易に確認することができるヘッドマウントディスプレイに関する。
【背景技術】
【０００２】
従来、携帯電話を利用して、メール等のメッセージを送受信する技術が知られている。携帯電話は持ち運びが可能なため、携帯電話の所有者は、メッセージを受信したときに確認することができる。しかし、会議中等手が離せない場合には、携帯電話の所有者は受信したメッセージを確認することは困難であった。そこで、特許文献１には、腕時計型の表示装置に着信情報等を表示させる携帯端末システムが提案されている。
【先行技術文献】
【特許文献】
【０００３】
【特許文献１】特開２０００―６９１４９号公報
【発明の概要】
【発明が解決しようとする課題】
【０００４】
特許文献１に示される携帯端末システムでは、ユーザーが腕時計型の表示装置を見るために視線をそらす必要があり、会議中等手が離せない場合には前記表示装置に表示されたメッセージを確認することが困難であった。
本発明は、上記問題を解決し、携帯電話が受信したメッセージを簡単に確認することができるシステムを提供する。
【課題を解決するための手段】
【０００５】
上記課題を解決するためになされた請求項１に記載の発明は、
ユーザーの頭部に装着され、ユーザーに画像を視認させる画像表示部と、
ユーザーが所持する携帯電話と通信する通信手段と、
通信相手の電話情報が記憶される電話情報記憶手段と、
通信相手の電話情報を、前記通信手段を介して取得し、前記電話情報を前記電話情報記憶手段に記憶させる電話情報取得手段と、
前記電話情報取得手段が、前記電話情報を取得した場合に、前記ユーザーが所持する携帯電話の通信相手の電話に、前記ユーザーが所持する携帯電話が受信したメッセージを前記画像表示部で表示可能な状態である待受モードであることを通知させる待受モード通知情報を生成し、当該待受モード通知情報を、前記通信手段を介して、前記ユーザーが所持する携帯電話に送信する待受モード設定手段と、
前記ユーザーが所持する携帯電話が受信したメッセージを、前記通信手段を介して取得するメッセージ取得手段と、
前記メッセージ取得手段が取得したメッセージを、前記画像表示部で表示させるメッセージ表示手段とを、
有することを特徴とする。
【０００６】
請求項２に記載の発明は、請求項１に記載の発明において、
待受モードが設定されているか否かを判断する待受モード判断手段を有し、
待受モード判断手段が、待受モードであると判断した場合に限り、
待受モード設定手段は待受モード通知情報をユーザーが所持する携帯電話に送信し、
メッセージ表示手段は、メッセージ取得手段が取得したメッセージを、前記画像表示部で表示させることを特徴とする。
これにより、ユーザーが画像表示部でメッセージを表示させることを希望する場合に限り、メッセージが画像表示部で表示されるので、ユーザーが煩わしく感じることが無い。
【０００７】
請求項３に記載の発明は、請求項２に記載の発明において、
待受けモードであるか否かを示す待受モードフラグが記憶される待受モードフラグ記憶手段を有し、
待受モード判断手段は、待受モードフラグ記憶領域に待受モードフラグが記憶されている場合に、ユーザーが所持する携帯電話が待受モードであると判断することを特徴とする。
これにより、待受モード判断手段は、確実に待受モードであることを判断することができる。
【０００８】
請求項４に記載の発明は、請求項１〜請求項３に記載の発明において、
メッセージ表示手段は、電話情報記憶手段に記憶されている電話情報と同一の電話から送信されたメッセージを前記画像表示部で表示させることを特徴とする。
これにより、通信相手と関係の無いメッセージが、画像表示部で表示されることが無いので、ユーザーが煩わしく感じることが無い。
【０００９】
請求項５に記載の発明は、請求項１〜請求項４に記載の発明において、
ユーザーからの入力操作を検知する入力部と、
前記入力部が検知したユーザーの入力操作に基づき、メッセージ取得手段が取得したメッセージに対する応答情報を生成し、当該応答情報を、通信手段を介してユーザーが所持する携帯電話に送信する応答情報生成手段を更に有することを特徴とする。
これにより、ユーザーは入力操作により、通信相手の電話から送信されたメッセージに対する応答を行うことが可能となる。
【００１０】
請求項６に記載の発明は、請求項５に記載の発明において、
入力情報と応答情報との関係を表した応答情報テーブルが記憶される応答情報テーブル記憶手段を有し、
応答情報生成手段は、入力部が検知したユーザーの入力操作及び前記応答情報テーブルに基づき、応答情報を生成することを特徴とする。
これにより、会議中等手が離せない場合であっても、ユーザーは簡単な入力操作により、通信相手の電話から送信されたメッセージに対する応答を行うことが可能となる。
【発明の効果】
【００１１】
本発明によれば、待受モード設定手段は、待受モード情報を通信相手の電話に送信し、メッセージ取得手段は、ユーザーが所持する携帯電話が受信した前記通信相手の電話からのメッセージを取得し、画像表示部は前記メッセージを表示する。このため、会議中等手が離せない場合であっても、ユーザーは携帯電話が受信したメッセージを容易に確認することが可能となる。
【図面の簡単な説明】
【００１２】
【図１】本発明の概念図である。
【図２】ヘッドマウントディスプレイのブロック図である。
【図３】携帯電話のブロック図である。
【図４】本発明の各処理のフロー図である。
【発明を実施するための形態】
【００１３】
（本発明の概要）
以下に図面を参照しつつ、本発明の好ましい実施の形態を示す。なお、本明細書において、ＨＭＤとは、ヘッドマウントディスプレイの略語である。図１に示されるように、本発明のヘッドマウントディスプレイ１００は、ユーザーの頭部に装着されるヘッドマウントディスプレイ部５０と、ユーザーの腰等の身体に装着される制御部３０とから構成されている。ヘッドマウントディスプレイ部５０は、頭部装着部５１と、画像表示部５２とから構成されている。頭部装着部５１は、図１に示される実施形態では、眼鏡のフレーム形状であるが、ヘルメット形状等であってもよく、ユーザーの頭部に装着される構造のものであれはすべて含まれる。
【００１４】
画像表示部５２は、頭部装着部５１の側前部に取り付けられている。画像表示部５２は、画像を生成し、当該画像をユーザーに視認させるものである。本実施形態では、画像表示部５２は、レーザ光を直接ユーザーの眼球に走査することにより、ユーザーに画像を視認させる網膜走査型ディスプレイを用いて構成される。画像表示部５２は、ハーフミラー５２ａを有する。ハーフミラー５２ａは、画像表示部５２から入射された画像光の一部を反射し、ユーザーの左眼に導く。ハーフミラー５２ａはまた、外界像を表す外界光の一部を透過し、ユーザーの左眼に導く。このように、画像表示部５２がハーフミラー５２ａを有するので、ユーザーは画像表示部５２が生成する画像を視認することができると同時に、外界もまた視認することができる。なお、画像表示部５２は、液晶ディスプレイ、有機ＥＬ（Ｏｒｇａｎｉｃ  Ｅｌｅｃｔｒｏｌｕｍｉｎｅｓｃｅｎｃｅ）ディスプレイなど、その他の装置を用いた構成であっても差し支えない。画像表示部５２には、ユーザーによる入力操作を受け付ける複数のボタン等からなる入力部５３や加速度センサー５４（図２に示す）が設けられている。
【００１５】
制御部３０は、画像表示部５２と接続し、画像表示部５２が表示する画像を生成する機能を有している。制御部３０は、ユーザーが所持する携帯電話８０と通信する機能を有している。本発明では、携帯電話８０が着信した場合には（図１の（Ａ）の（１））、携帯電話８０は通信相手の「電話情報」を制御部３０に送信し（図１の（Ａ）の（２））、当該「電話情報」が画像表示部５２で表示される（図１の（Ａ）の（３））。次に、制御部３０は「待受モード通知情報」を、携帯電話８０に送信し（図１の（Ａ）の（４））、携帯電話８０は「待受モード通知情報」を通信相手の電話９０に送信する（図１の（Ａ）の（５））。なお、「待受モード」とは、画像表示部５２で携帯電話９０の「電話情報」が表示されるとともに、画像表示部５２で携帯電話９０から送信され携帯電話８０で受信したメッセージが表示される状態のモードである。「待受モード通知情報」を確認した通信相手が、メール等の「メッセージ」を携帯電話９０で携帯電話８０に送信した場合において、ユーザーが所持する携帯電話８０が、前記「メッセージ」を受信すると（図１の（Ａ）の（６））、携帯電話８０は当該「メッセージ」を制御部３０に送信する（図１の（Ａ）の（７））。「メッセージ」を受信した制御部３０は、当該「メッセージ」を画像表示部５２で表示させる（図１の（Ａ）の（８））。このため、会議中等手が離せない場合であっても、ユーザーは携帯電話８０が受信した「メッセージ」を簡単に確認することが可能となる。
【００１６】
画像表示部５２で表示された「メッセージ」を視認したユーザーは、入力部５３を操作したり、頭を動かしたりすることにより、前記「メッセージ」に対する応答を行うことができる。ユーザーが、入力部５３を操作して応答する場合には、図１の（Ｃ）に示されるように、制御部３０は入力部５３の各ボタンに対応する「応答情報」を生成する。或いは、ユーザーが頭を動かす等により応答する場合には、加速度センサー５４（図２参照）はユーザーの頭の動きを検知して検知信号を制御部３０に出力し、図１の（Ｂ）に示されるように、制御部３０は前記検知信号に基づいて「応答情報」を生成する。制御部３０は、前記生成された「応答情報」を携帯電話８０に送信する（図１の（Ａ）の（９））。「応答情報」を受信した携帯電話８０は、当該「応答情報」を通信相手の電話９０に送信する（図１の（Ａ）の（１０））。このように、会議中等手が離せない場合であっても、ユーザーは簡単な入力操作により、通信相手の電話９０から送信された「メッセージ」に対する応答をすることが可能となる。
以下、このような機能を実現するヘッドマウントディスプレイ１００について詳細に説明する。
【００１７】
（ヘッドマウントディスプレイのブロック図）
図２を用いて、ヘッドマウントディスプレイ１００を説明する。制御部３０は、ＣＰＵ１１、ＲＡＭ１２、記憶部１３、入力インターフェース１４、画像生成部１５、通信部１６を有している。これらの構成は、相互にバス９で接続されている。ヘッドマウントディスプレイ部５０は、入力部５３、加速度センサー５４及び画像表示部５２を有している。入力部５３や加速度センサー５４は、入力インターフェース１４に接続している。画像表示部５２は、画像生成部１５に接続している。なお、ヘッドマウントディスプレイ部５０と制御部３０との各構成間の接続は、有線及び無線の両方の接続方式が含まれる。
【００１８】
ＣＰＵ（Ｃｅｎｔｒａｌ  Ｐｒｏｃｅｓｓｉｎｇ  Ｕｎｉｔの略）１１は、ＲＡＭ（Ｒａｎｄｏｍ  Ａｃｃｅｓｓ  Ｍｅｍｏｒｙの略）１２、記憶部１３と協動して、各種演算、処理を行う。
【００１９】
ＲＡＭ１２は、ＣＰＵ１１で処理されるプログラムや、ＣＰＵ１１が処理するデータを、そのアドレス空間に一時的に記憶する。
【００２０】
記憶部１３には、不揮発性メモリーやハードディスク等の補助記憶装置が含まれる。記憶部１３には、制御部３０を制御する各種プログラムやパラメータが記憶されている。当該各種プログラムが、ＣＰＵ１１で処理されることにより、各種機能を実現している。記憶部１３には、電話情報取得プログラム１３ａ、電話情報表示プログラム１３ｂ、待受モード設定プログラム１３ｃ、メッセージ取得プログラム１３ｄ、メッセージ表示プログラム１３ｅ、応答情報生成プログラム１３ｆ、待受モード判断プログラム１３ｇが記憶されている。また、記憶部１３には、電話情報記憶領域１３ｈ、待受モードフラグ記憶領域１３ｉ、メッセージ記憶領域１３ｊ、応答情報テーブル記憶領域１３ｋを有している。
【００２１】
電話情報取得プログラム１３ａは、通信部１６を介して、携帯電話８０から送信された通信相手の「電話情報」を受信して取得し、当該「電話情報」を電話情報記憶領域１３ｈに記憶させるプログラムである。
電話情報表示プログラム１３ｂは、電話情報記憶領域１３ｈに記憶された「電話情報」を画像表示部５２で表示させる描画命令を画像生成部１５に出力するプログラムである。
待受モード設定プログラム１３ｃは、ユーザーの入力部５３への入力操作により、「待受モード設定信号」が入力インターフェース１４からバス９に入力されたと判断した場合には、「待受モードフラグ」を待受モードフラグ記憶領域１３ｉに記憶させる。また、待受モード設定プログラム１３ｃは、ユーザーの入力部５３への入力操作により、「待受モード解除信号」が入力インターフェース１４からバス９に入力されたと判断した場合には、待受モードフラグ記憶領域１３ｉから「待受モードフラグ」を消去させる。待受モード設定プログラム１３ｃは、携帯電話８０が携帯電話９０に転送する「待受モード通知情報」を、通信部１６を介して、携帯電話８０に送信する。
メッセージ取得プログラム１３ｄは、携帯電話９０から送信され、携帯電話８０から転送された「メッセージ」を、通信部１６を介して取得し、メッセージ記憶領域１３ｊに記憶させる。
メッセージ表示プログラム１３ｅは、メッセージ記憶領域１３ｊに記憶された「メッセージ」を、画像表示部５２に表示させる描画命令を画像生成部１５に出力する。
応答情報生成プログラム１３ｆは、ユーザーによる入力操作から、「応答情報」を生成するプログラムである。
待受モード判断プログラム１３ｇは、待受モードであるか否かを判断するプログラムである。具体的には、待受モード判断プログラム１３ｇは、待受モードフラグ記憶領域１３ｉを参照することにより、「待受モードフラグ」が記憶されているか否かにより、待受モードであるか否かを判断する。
なお、電話情報取得プログラム１３ａ、電話情報表示プログラム１３ｂ、待受モード設定プログラム１３ｃ、メッセージ取得プログラム１３ｄ、メッセージ表示プログラム１３ｅ、応答情報生成プログラム１３ｆ、待受モード判断プログラム１３ｇを、ＡＳＩＣ（ＡｐｐｌｉｃａｔｉｏｎＳｐｅｃｉｆｉｃ Ｉｎｔｅｇｒａｔｅｄ Ｃｉｒｃｕｉｔ）として構成することとしても差し支えない。
【００２２】
電話情報記憶領域１３ｈには、携帯電話８０から送信された通信相手の電話９０の「電話情報」が記憶される。
待受モードフラグ記憶領域１３ｉには、「待受モード設定フラグ」が記憶される。
メッセージ記憶領域１３ｊには、携帯電話９０から送信され、携帯電話８０によって転送された「メッセージ」が記憶される。
応答情報テーブル記憶領域１３ｋは、図１の（Ｂ）や（Ｃ）に示されるように、ユーザーによる複数の入力操作と、当該入力操作に対応した応答情報との対応関係を表した「応答情報テーブル」が記憶されている。
【００２３】
入力部５３は、ユーザーからの入力操作を受け付けるものである。入力部５３には、物理的なボタン、マトリックススイッチ式や静電容量式等のタッチパネルが含まれる。ユーザーの入力部５３での入力操作により生成された信号は、入力インターフェース１４で、物理的・論理的な形式が変換されて、入力操作信号としてバス９に出力される。図１に示される実施形態では、入力部５３は、画像表示部５２に設けられているが、他のヘッドマウントディスプレイ部５０に設けられていても差し支えない。
なお、ユーザーは、入力部５３を操作することにより、「待受モード」の設定及び解除を行うことができる。
また、ユーザーは、入力部５３を操作することにより、通信相手の電話９０から送信された「メッセージ」に対する応答を行うことが可能となる。
【００２４】
加速度センサー５４は、ユーザーの頭の動作や、画像表示部５２が受ける加速度を検出する。加速度センサー５４が検出した加速度は、入力インターフェース１４で、物理的・論理的な形式が変換されて、入力操作信号としてバス９に入力される。なお、加速度センサー５４は、頭部装着部５１に設けられていても差し支えない。
【００２５】
画像生成部１５は、ＧＰＵ（Ｇｒａｐｈｉｃｓ  Ｐｒｏｃｅｓｓｉｎｇ  Ｕｎｉｔ）及びＶＲＡＭを有している。ＧＰＵは、電話情報表示プログラム１３ｂやメッセージ表示プログラム１３ｅからの描画命令により、「画像データ」を生成し、ＶＲＡＭに記憶させる。ＶＲＡＭに記憶された「画像データ」は、「画像信号」として画像表示部５２に出力される。
【００２６】
通信部１６は、ユーザーが所持する携帯電話８０と通信を行う装置である。通信部１６は、赤外線通信やブルートゥース（登録商標）による無線規格のインターフェースとなっている。
【００２７】
（携帯電話のブロック図）
図３を用いて、以下に、携帯電話８０について説明する。携帯電話８０は、ＣＰＵ６１、ＲＡＭ６２、記憶部６３、入力インターフェース６４、画像生成部６５、通信部６６、携帯電話通信部６７を有している。これらの構成は、相互にバス７９で接続されている。携帯電話８０は更に入力部６８及び表示部６９を有している。入力部６８は、入力インターフェース６４に接続している。表示部６９は、画像生成部６５に接続している。
【００２８】
ＣＰＵ６１は、ＲＡＭ６２、記憶部６３と協動して、各種演算、処理を行う。ＲＡＭ６２は、ＣＰＵ６１で処理されるプログラムや、ＣＰＵ６１が処理するデータを、そのアドレス空間に一時的に記憶する。
【００２９】
記憶部６３には、不揮発性メモリーやハードディスク等の補助記憶装置が含まれる。記憶部６３には、携帯電話８０を制御する各種プログラムやパラメータが記憶されている。当該各種プログラムが、ＣＰＵ６１で処理されることにより、各種機能を実現している。
記憶部６３には、情報表示プログラム６３ａ、電話情報送信プログラム６３ｂ、通話状態通知プログラム６３ｃ、待受モード通知情報送信プログラム６３ｄ、メッセージ転送プログラム６３ｅ、音声変換プログラム６３ｆ、応答情報送信プログラム６３ｇが記憶されている。
情報表示プログラム６３ａは、着信があった場合に、通信相手の電話９０の所有者名や電話番号を表示部６９で表示させる描画命令を、画像生成部６５に出力するプログラムである。
電話情報送信プログラム６３ｂ、着信があった場合に、通信相手の電話９０の所有者名や電話番号からなる「電話情報」を、ヘッドマウントディスプレイ１００の制御部３０に送信するプログラムである。
通話状態通知プログラム６３ｃは、携帯電話８０が通信相手の電話９０と通話状態であることを、ヘッドマウントディスプレイ１００の制御部３０に通知するプログラムである。
待受モード通知情報送信プログラム６３ｄは、「待受モード通知情報」を通信相手の電話９０に送信するプログラムである。
メッセージ転送プログラム６３ｅは、通信相手の電話９０から送信された「メッセージ」をヘッドマウントディスプレイ１００の制御部３０に転送するプログラムである。
音声変換プログラム６３ｆは、通信相手の電話９０から送信された音声の「メッセージ」を音声認識により、文字に変換し、文字の「メッセージ」を生成するプログラムである。
応答情報送信プログラム６３ｇは、ヘッドマウントディスプレイ１００の制御部３０から送信された「応答情報」を、通信部６６を介して、通信相手の電話９０に転送するプログラムである。
勿論、記憶部６３には、携帯電話としての通話機能及びメール送受信機能を実現するプログラムが記憶されている。
【００３０】
入力部６８は、ユーザーからの入力操作を受け付けるものである。入力部６８には、物理的なボタン、マトリックススイッチ式や静電容量式等のタッチパネルが含まれる。ユーザーの入力部６８での入力操作により生成された信号は、入力インターフェース６４で、物理的・論理的な形式が変換されて、「入力操作信号」としてバス７９に出力される。
【００３１】
画像生成部６５は、ＧＰＵ及びＶＲＡＭを有している。ＧＰＵは、情報表示プログラム６３ａからの描画命令により、「画像データ」を生成し、ＶＲＡＭに記憶させる。ＶＲＡＭに記憶された「画像データ」は、「画像信号」として表示部６９に出力される。
【００３２】
通信部６６は、制御部３０の通信部１６と通信を行う装置である。通信部１８は、通信部１６に対応したインターフェースとなっている。
【００３３】
携帯電話通信部６７は、無線公衆通信網と通信を行う装置である。携帯電話通信部６７は、前記無線公衆通信網に対応したインターフェースとなっている。本発明では、公携帯電話通信部６７は、無線公衆通信網を介して、通信相手の電話９０と通信する。
【００３４】
（ヘッドマウントディスプレイメイン処理）
図４を用いて、ヘッドマウントディスプレイメイン処理の説明をする。ヘッドマウントディスプレイ１００に電源が投入されヘッドマウントディスプレイメイン処理が開始すると、Ｓ１１の判断処理に進む。
Ｓ１１「電話情報受信」の判断処理において、電話情報取得プログラム１３ａは、携帯電話８０から送信された「電話情報」を受信したか否かを判断する。電話情報取得プログラム１３ａが、「電話情報」を受信したと判断した場合には（Ｓ１１の判断処理がＹＥＳ）、当該「電話情報」を電話情報記憶領域１３ｈに記憶させて、Ｓ１２の処理に進む。一方で、電話情報取得プログラム１３ａが、「電話情報」を受信したと判断しない場合には（Ｓ１１の判断処理がＮＯ）、Ｓ１２の処理に進まない。
【００３５】
Ｓ１２の「電話情報表示」の処理において、電話情報表示プログラム１３ｂは、電話情報記憶領域１３ｈに記憶されている「電話情報」を画像表示部５２で表示させる描画命令を、画像生成部１５に出力する。通信相手の名前や通信相手の電話９０の電話番号からなる「電話情報」は、画像表示部５２で表示される。Ｓ１２の処理が終了すると、Ｓ１３の判断処理に進む。
【００３６】
Ｓ１３「通話」の判断処理において、ＣＰＵ１１は、携帯電話８０から「通話状態情報」を受信したか否かを判断する。ＣＰＵ１１が、携帯電話８０から「通話状態情報」を受信したと判断した場合には（Ｓ１３の判断処理がＹＥＳ）、ユーザーが携帯電話８０を用いて通話を行っていると考えられる。そのため、ＣＰＵ１１は、画像表示部５２における「電話情報」の表示を停止させる描画命令を画像生成部１５に出力した後に、Ｓ１１の判断処理に戻る。一方で、ＣＰＵ１１が、「通話状態情報」を、Ｓ１１の判断処理で携帯電話８０から「電話情報」を受信してから所定時間の内に受信しなかったと判断した場合には（Ｓ１３の判断処理がＮＯ）、Ｓ１４の判断処理に進む。
【００３７】
Ｓ１４「待受モードフラグ有り」の判断処理において、待受モード判断プログラム１３ｇは、待受モードフラグ記憶領域１３ｉを参照することにより、「待受モードフラグ」が記憶されているか否かを判断する。待受モード判断プログラム１３ｇが、「待受モードフラグ」が記憶されていると判断した場合には（Ｓ１４の判断処理がＹＥＳ）、Ｓ１５の処理に進む。待受モード判断プログラム１３ｇが、「待受モードフラグ」が記憶されていないと判断した場合には（Ｓ１４の判断処理がＮＯ）、電話情報表示プログラム１３ｂは、画像表示部５２における「電話情報」の表示を停止させる描画命令を画像生成部１５に出力した後に、Ｓ１１の判断処理に戻る。このように、ユーザーが画像表示部５２でメッセージを表示させることを希望しない場合には、ユーザーが入力部５３を操作することにより、「待受モードフラグ」を待受モードフラグ記憶領域１３ｉから消去させることにより、「メッセージ」を画像表示部５２で表示させないようにすることができる。
【００３８】
Ｓ１５「待受モード通知情報を携帯電話に送信」の処理において、待受モード設定プログラム１３ｃは、「待受モード通知情報」を、通信部１６を介して、携帯電話８０に送信させる。Ｓ１５の処理が終了すると、Ｓ１６の判断処理に進む。
【００３９】
Ｓ１６「メッセージ受信」の判断処理において、メッセージ取得プログラム１３ｄは、携帯電話８０から「メッセージ」を受信したか否かを判断し、さらに、当該「メッセージ」が電話情報記憶領域１３ｈに記憶されている「電話情報」と同一の携帯電話から送信されたものであるか否かを判断する。メッセージ取得プログラム１３ｄが、電話情報記憶領域１３ｈに記憶されている「電話情報」の携帯電話９０から「メッセージ」を受信したと判断した場合には（Ｓ１６の判断処理がＹＥＳ）、当該「メッセージ」をメッセージ記憶領域１３ｊに記憶させて、Ｓ１８の処理に進む。一方で、メッセージ取得プログラム１３ｄが、電話情報記憶領域１３ｈに記憶されている「電話情報」の携帯電話９０から「メッセージ」を受信したと判断しない場合には（Ｓ１６の判断処理がＮＯ）、Ｓ１７の判断処理に進む。
【００４０】
Ｓ１７「待受モードフラグ有り」の判断処理において、待受モード判断プログラム１３ｇは、待受モードフラグ記憶領域１３ｉに「待受モードフラグ」が記憶されているか否かを判断する。待受モード判断プログラム１３ｇが、待受モードフラグ記憶領域１３ｉに「待受モードフラグ」が記憶されていると判断した場合には（Ｓ１７の判断処理がＹＥＳ）、Ｓ１６の判断処理に戻る。一方で、待受モード判断プログラム１３ｇが、待受モードフラグ記憶領域１３ｉに「待受モードフラグ」が記憶されていないと判断した場合には（Ｓ１７の判断処理がＮＯ）、画像表示部５２における「電話情報」の表示を停止させる描画命令を画像生成部１５に出力した後に、Ｓ１１の判断処理に戻る。
【００４１】
Ｓ１８「メッセージを表示」の処理において、メッセージ表示プログラム１３ｅは、メッセージ記憶領域１３ｊに記憶されている「メッセージ」を画像表示部５２で表示させる描画命令を、画像生成部１５に出力する。前記「メッセージ」は画像表示部５２で表示され、ユーザーは、前記「メッセージ」を確認することができる。このように、Ｓ１６の判断処理において、メッセージ取得プログラム１３ｄが、電話情報記憶領域１３ｈに記憶されている「電話情報」の携帯電話９０から「メッセージ」を受信したと判断した場合に限り、前記「メッセージ」が画像表示部５２に表示される。従って、通信相手と関係の無い「メッセージ」が、画像表示部５２で表示されることが無いので、ユーザーが煩わしく感じることが無い。
Ｓ１８の処理が終了すると、Ｓ１９の判断処理に進む。
【００４２】
Ｓ１９「入力あり」の判断処理において、応答情報生成プログラム１３ｆは、ユーザーによる入力操作があったか否かを判断する。具体的には、ユーザーが入力部５３への入力操作を行うことにより、応答情報生成プログラム１３ｆが、入力インターフェース１４からバス９に「入力操作信号」が入力されたと判断した場合には、ユーザーによる入力操作があったと判断する。或いは、ユーザーが頭を振ったり、画像表示部５３を指で叩いたりして、加速度センサー５４が所定値以上の加速度を検知し、応答情報生成プログラム１３ｆが、入力インターフェース１４からバス９に「入力操作信号」が入力されたと判断した場合には、ユーザーによる入力操作があったと判断する。応答情報生成プログラム１３ｆが、ユーザーによる入力操作があったと判断した場合には（Ｓ１９の判断処理がＹＥＳ）、Ｓ２０の処理に進む。一方で、応答情報生成プログラム１３ｆが、ユーザーによる入力操作があったと判断しない場合には（Ｓ１９の判断処理がＮＯ）、Ｓ２０の処理には進まない。
【００４３】
Ｓ２０「入力を応答に変換」の処理において、応答情報生成プログラム１３ｆは、ユーザーによる入力操作を「応答情報」に変換して生成する。具体的には、応答情報生成プログラム１３ｆは、Ｓ１９の判断処理において入力部５３に対して行われた入力操作によって生成された「入力操作信号」と、応答情報テーブル記憶領域１３ｋに記憶されている「応答情報テーブル」（図１の（Ｃ）に示す）を対応させて、前記「入力操作信号」に対応する「応答情報」特定する。或いは、Ｓ１９の判断処理において、ユーザーが頭を振る若しくは画像表示部５２を叩くことによる入力操作を行った場合には、応答情報生成プログラム１３ｆは、前記入力操作によって生成された「入力操作信号」と、応答情報テーブル記憶領域１３ｋに記憶されている「応答情報テーブル」（図１の（Ｂ）に示す）を対応させて、前記「入力操作信号」に対応する「応答情報」特定する。Ｓ２０の処理が終了すると、Ｓ２１の処理に進む。
【００４４】
Ｓ２１「応答を携帯電話に送信」の処理において、応答情報生成プログラム１３ｆは、Ｓ２０の処理で生成された「応答情報」を、通信部１６を介して、ユーザーが所持する携帯電話８０に送信する。メッセージ表示プログラム１３ｅは、画像表示部５２における「メッセージ」の表示を停止させる描画命令を画像生成部１５に出力する。Ｓ２１の処理が終了すると、Ｓ１１の判断処理に戻る。
【００４５】
（携帯電話メイン処理）
図４を用いて、携帯電話メイン処理の説明をする。携帯電話８０に電源が投入されると、携帯電話メイン処理が開始し、Ｓ５１の判断処理に進む。
Ｓ５１「着信有り」の判断処理において、ＣＰＵ６１は、携帯電話９０からの着信が有ったか否かを判断する。ＣＰＵ６１が、携帯電話９０からの着信が有ったと判断した場合には（Ｓ５１の判断処理がＹＥＳ）、Ｓ５２の判断処理に進む。一方で、ＣＰＵ６１が、携帯電話９０からの着信が有ったと判断しない場合には（Ｓ５１の判断処理がＮＯ）、Ｓ５２の判断処理に進まない。
【００４６】
Ｓ５２「ＨＭＤと通信可」の判断処理において、ＣＰＵ６１は、ヘッドマウントディスプレイ１００の制御部３０と通信可能であるか否かを判断する。ＣＰＵ６１が、制御部３０と通信可能であると判断した場合には（Ｓ５２の判断処理がＹＥＳ）、Ｓ５３の処理に進む。一方で、ＣＰＵ６１が、制御部３０と通信不能であると判断した場合には（Ｓ５２の判断処理がＮＯ）、Ｓ５１の判断処理に戻る。
【００４７】
Ｓ５３「ＨＭＤに電話情報送信」の処理において、電話情報送信プログラム１６３ｂは、通信相手の名前や携帯電話９０の電話番号からなる「電話情報」を、通信部６６を介して、ヘッドマウントディスプレイ１００の制御部３０に送信する。Ｓ５３の処理が終了すると、Ｓ５４の判断処理に進む。
【００４８】
Ｓ５４「通話」の判断処理において、ＣＰＵ６１は、ユーザーが入力部６８を操作することにより通話することを選択したか否かを判断する。ＣＰＵ６１は、ユーザー通話することを選択したと判断した場合には（Ｓ５４の判断処理がＹＥＳ）、Ｓ５５の処理に進む。一方で、ユーザーが操作部６８を操作することにより通話を保留することを選択した場合、或いは、ユーザーが一定時間以上操作部６８を操作しなかった場合には、ＣＰＵ６１はユーザーが通話することを選択しなかったと判断し（Ｓ５４の判断処理がＮＯ）、Ｓ５６の判断処理に進む。
【００４９】
Ｓ５５の「ＨＭＤに通話状態通知」の処理において、通話状態通知プログラム６３ｃは、携帯電話８０が携帯電話９０と通話状態であることを表す「通話状態情報」を、通信部６６を介してヘッドマウントディスプレイ１００の制御部３０に送信する。Ｓ５５の処理が終了すると、Ｓ５１の判断処理に戻る。
【００５０】
Ｓ５６「待受モード通知情報受信」の判断処理において、ＣＰＵ６１が、「待受モード通信情報」を受信したと判断した場合には（Ｓ５６の判断処理がＹＥＳ）、Ｓ５７の処理に進む。一方で、ＣＰＵ６１が、「待受モード通信情報」を、一定時間以上受信していないと判断した場合には（Ｓ５６の判断処理がＮＯ）、Ｓ５１の判断処理に戻る。
【００５１】
Ｓ５７「待受モード通知情報を通信相手の電話に送信」の処理において、待受モード通知情報送信プログラム６３ｄは、「待受モード通知情報」を通信相手の電話９０に送信する。通信相手（連絡者）は、「待受モード通知情報」を自己が所持する携帯電話で確認することにより、ユーザー（被連絡者）が通話できない状態であることを知覚することができる。Ｓ５７の処理が終了すると、Ｓ５１の判断処理に戻る。
【００５２】
（メッセージ待受処理）
図４を用いて、メッセージ待受処理について説明する。携帯電話８０の電源が投入されると、メッセージ待受処理が開始し、Ｓ６１の判断処理に進む。
Ｓ６１「メッセージあり」の判断処理において、ＣＰＵ６１は、通信相手の電話９０等からメール等の「メッセージ」を受信したか否かを判断する。ＣＰＵ６１が、通信相手の電話９０等から「メッセージ」を受信したと判断した場合には（Ｓ６１の判断処理がＹＥＳ）、Ｓ６２の処理に進む。一方で、ＣＰＵ６１が、通信相手の電話９０等から「メッセージ」を受信したと判断しない場合には（Ｓ６１の判断処理がＮＯ）、Ｓ６２の処理に進まない。
【００５３】
Ｓ６２「受信したメッセージをＨＭＤに転送」に処理において、メッセージ転送プログラム６３ｅは、Ｓ６１の判断処理で受信した「メッセージ」をヘッドマウントディスプレイ１００の制御部３０に転送する。なお、前記「メッセージ」が音声である場合には、音声変換プログラム６３ｆは、Ｓ６２の判断処理した音声の「メッセージ」を、音声認識により文字に変換する。そして、メッセージ転送プログラム６３ｅは、前記文字に変換された「メッセージ」をヘッドマウントディスプレイ１００の制御部３０に転送する。Ｓ６２の処理が終了すると、Ｓ６１の判断処理に戻る。
【００５４】
（応答待受処理）
図４を用いて、応答待受処理について説明する。携帯電話８０の電源が投入されると、応答待受処理が開始し、Ｓ７１の判断処理に進む。
Ｓ７１「応答受信」の判断処理の処理において、ＣＰＵ６１は、ヘッドマウントディスプレイ１００の制御部３０から「応答情報」を受信したか否かを判断する。ＣＰＵ６１が、ヘッドマウントディスプレイ１００の制御部３０から「応答情報」を受信したと判断した場合には（Ｓ７１の判断処理がＹＥＳ）Ｓ７２の処理に進む。一方で、ＣＰＵ６１が、ヘッドマウントディスプレイ１００の制御部３０から「応答情報」を受信したと判断しない場合には（Ｓ７１の判断処理がＮＯ）Ｓ７２の処理に進まない。
【００５５】
Ｓ７２「応答を通信相手の電話に送信」の処理において、応答情報送信プログラム６３ｇは、Ｓ７１の判断処理で受信した「応答情報」を、携帯電話通信部６７を介して、通信相手の電話９０（図１の（Ａ）に示す）に送信する。このようにして、通信相手は、ユーザーによる応答を認知することができる。
Ｓ７２の処理が終了すると、Ｓ７１の判断処理に戻る。
【００５６】
以上説明した実施形態では、通信相手の電話が携帯電話９０である例について本発明を説明したが、通信相手の電話が固定電話であっても差し支えないことは言うまでもない。
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うヘッドマウントディスプレイもまた技術的範囲に包含されるものとして理解されなければならない。 
【符号の説明】
【００５７】
９      バス
１１    ＣＰＵ
１２    ＲＡＭ
１３    記憶部
１３ａ  電話情報取得プログラム
１３ｂ  電話情報表示プログラム
１３ｃ  待受モード設定プログラム
１３ｄ  メッセージ取得プログラム
１３ｅ  メッセージ表示プログラム
１３ｆ  応答情報生成プログラム
１３ｇ  待受モード判断プログラム
１３ｈ  電話情報記憶領域
１３ｉ  待受モードフラグ記憶領域
１３ｊ  メッセージ記憶領域
１３ｋ  応答情報テーブル記憶領域
１４    入力インターフェース
１５    画像生成部
１６    通信部
３０    制御部
５０    ヘッドマウントディスプレイ部
５１    頭部装着部
５２    画像表示部
５３    入力部
５４    加速度センサー
６１    ＣＰＵ
６２    ＲＡＭ
６３    記憶部
６３ａ  情報表示プログラム
６３ｂ  電話情報送信プログラム
６３ｃ  通話状態通知プログラム
６３ｄ  待受モード通知情報送信プログラム
６３ｅ  メッセージ転送プログラム
６３ｆ  音声変換プログラム
６３ｇ  応答情報送信プログラム
６４    入力インターフェース
６５    画像生成部
６６    通信部
６７    携帯電話通信部
６８    入力部
６９    表示部
７９    バス
８０    ユーザーが所持する携帯電話
９０    通信相手の電話
１００  ヘッドマウントディスプレイ
【図１】
2011211383.tif 000003
【図２】
2011211383.tif 000004
【図３】
2011211383.tif 000005
【図４】
2011211383.tif 000006